(57)【要約】【課題】  平面状表面の検査に使われるランプ光源装置は、交流電源を使用しており、チラツキが発生しており、このチラツキ防止として、インバータを使っての高い周波数での点灯は、人体や電子機器に悪影響のある電磁ノイズを発生し、又、照射面積を大くするために、直管型ランプを並べると間隔に暗部が生じて不均一なものと成った。【解決手段】  本発明は、直管型ランプ１．１を間隔Ｌを有して直線状に並設し、間隔Ｌに傾斜させた同種類の均一性向上用直管型ランプ２を配置した、更に、間隔Ｌ辺に光反射板３を並設した、更には、直管型ランプ１．１を間隔Ｍを有して平行状態で且つ傾斜させて並設し、平行状態で光反射板３を並設した、加えて、直管型ランプ１．１を直流電源にした、更に、直流電源を調整する調光器を備えた、更に、直管型ランプ１．１．２を低圧ナトリウムランプとした。【選択図】      図１
2007093565.tif 000002
【特許請求の範囲】
【請求項１】
平状表面の目視検査あるいは画像処理用のランプの光源装置において、少なくとも２本の直管型ランプを間隔を有して直線状に並設し、前記間隔に直管型ランプに対して水平方向に傾斜させた同種類の均一性向上用直管型ランプを配置したことを特徴とする目視検査及び画像処理用直管型ランプの光源装置。
【請求項２】
前記少なくとも２本の直管型ランプの間隔辺に光反射板を並設したことを特徴とする請求項１に記載の目視検査及び画像処理用直管型ランプの光源装置。
【請求項３】
平状表面の目視検査あるいは画像処理用のランプの光源装置において、少なくとも２本の直管型ランプを間隔を有して水平方向に平行状態で且つ傾斜させて並設し、前記直管型ランプに対して平行状態で光反射板を並設したことを特徴とする目視検査及び画像処理用直管型ランプの光源装置。
【請求項４】
前記夫々の直管型ランプを直流電源によって点灯することを特徴とする請求項１乃至請求項３に記載の目視検査及び画像処理用直管型ランプの光源装置。
【請求項５】
前記直流電源を調整する調光器を備えたことを特徴とする請求項４に記載の目視検査及び画像処理用直管型ランプの光源装置。
【請求項６】
前記夫々の直管型ランプを低圧ナトリウムランプとしたことを特徴とする請求項１乃至請求項５に記載の目視検査及び画像処理用直管型ランプの光源装置。
【発明の詳細な説明】
【技術分野】
【０００１】  本発明は目視検査及び画像処理用直管型ランプの光源装置に関するものであり、更に詳細には、平面状の表面をもった例えば液晶パネル等の表面を検査するために、被検査表面に光を照射したり、画像処理のための直管型ランプの光源装置に関するものである。
【背景技術】
【０００２】  平面状表面の検査に使われるランプ光源装置は、これまで交流電源を使用しており、交流電源のランプによる照射の欠点である、所謂、チラツキの発生を少なくするために、商用電源の周波数に比較して充分に高い周波数によって点灯しており、また、照射面に対する照射の均一性を得るために複数のランプ及び反射板によって解決を計っていた。【０００３】  このチラツキ防止する手段として、インバータを使っての高い周波数での点灯は、見かけ上はチラツキが生じないものの、実際には目に見えないチラツキによって眼を疲れをもたらせるもので、検査員の集中力を低下させる２０００サイクル以上のチラツキが数分間隔で発生し、照度が上下しており、また、インバータによる高周波の放電は人体や他の電子機器に悪影響のある電磁ノイズを発生する要因となり得るものである。【０００４】  更には、照度の均一性については、例えば、照射面積を大くするために、直管型ランプを直列に並べる場合、夫々の直管型ランプの間隔において、ランプの端部に暗部が生じて不均一なものと成り、課題を有しているものである。【０００５】  例えば、ランプ受口を三角形の各頂点に配置して成る３灯用ソケットにおいて、各受口にランプを装着したとき、少なくとも２灯のランプ間に、残る１灯のランプを前記２灯のランプ中心を結ぶ直線に対して直角に平行移動させると納まるようにランプ受口を配置したもの（特許文献１参照）や、並設された照射蛍光灯５〜８と、該照射蛍光灯５〜８の両端部近傍の上方に直交し、且つ上記照射蛍光灯５〜８の長手方向に移動可能に配置した照度分布補正蛍光灯９、１０と、最前列と最後列との照射蛍光灯５、８の外側に並設された仮想蛍光灯１１、１２とを備えた面光源パネル１と、上記照射蛍光灯５〜８及び照度分布補正蛍光灯９、１０にそれぞれ接続された点灯ユニットＰを備えた直流点灯電源２とを有し、各点灯ユニットＰには照度を変える調光手段２６をそれぞれ設けたもの（特許文献２参照）等が開示されている。
【特許文献１】実開昭５６−１６１７９１号公報
【特許文献２】特開平９−２６５０９３号公報
【発明の開示】
【発明が解決しようとする課題】
【０００６】  然し乍ら、先に開示された、特許文献１のランプ受口を三角形の各頂点に配置して成る３灯用ソケットにおいて、各受口にランプを装着したとき、少なくとも２灯のランプ間に、残る１灯のランプを前記２灯のランプ中心を結ぶ直線に対して直角に平行移動させると納まるようにランプ受口を配置したものでは、ランプ同士の間隔が小さいので均一の高照度が得られるものであるが、第２図に図示されるように多数のランプを必要とするものである。【０００７】  又、特許文献２の並設された照射蛍光灯５〜８と、該照射蛍光灯５〜８の両端部近傍の上方に直交し、且つ上記照射蛍光灯５〜８の長手方向に移動可能に配置した照度分布補正蛍光灯９、１０と、最前列と最後列との照射蛍光灯５、８の外側に並設された仮想蛍光灯１１、１２とを備えた面光源パネル１と、上記照射蛍光灯５〜８及び照度分布補正蛍光灯９、１０にそれぞれ接続された点灯ユニットＰを備えた直流点灯電源２とを有し、各点灯ユニットＰには照度を変える調光手段２６をそれぞれ設けたものでは、高い照度分布とムラのない面光源は得ることを可能とするものであるが、長手方向に広い面積を有する面光源では課題を有しているものであった。【０００８】  そこで本発明はこのような課題を解決するためになされたものであり、ランプ装置から照射される光のチラツキを極小にすると共に、必要な広い範囲の照射表面に対する、照射強度の均一性を向上させるものである。
【課題を解決するための手段】
【０００９】  本発明の目視検査及び画像処理用直管型ランプの光源装置は、前述の課題に鑑み、鋭意研鑚の結果、少なくとも２本の直管型ランプを間隔を有して直線状に並設し、間隔に直管型ランプに対して水平方向に傾斜させた同種類の均一性向上用直管型ランプを配置したものであり、更に、少なくとも２本の直管型ランプの間隔辺に光反射板を並設したものであり、又、少なくとも２本の直管型ランプを間隔を有して水平方向に平行状態で且つ傾斜させて並設し、直管型ランプに対して平行状態で光反射板を並設したものであり、更には、夫々の直管型ランプを直流電源によって点灯するものであり、加えて、直流電源を調整する調光器を備えたものであり、更には、夫々の直管型ランプを低圧ナトリウムランプとしたものである。
【発明の効果】
【００１０】  本発明の目視検査及び画像処理用直管型ランプの光源装置の効果を実施例でみると、２本の長さ１．８ｍの直管型ランプを直列に並べ、その間に長さ２０ｃｍの均一性向上用直管型ランプを水平方向に傾斜させておき、直流電源による点灯によって、幅２０ｃｍ、長さ３．５ｍの照射領域にわたって、７０から８０％の均一性を得るもので、この均一性は従来の同種ランプの５０％以下に比較して、大きく改良された数値であり、光源に含まれるチラツキとしては殆ど無視できる数値となっているものである。【００１１】  また、目視検査や画像処理装置用ランプの直管型ランプとしては、約０．４Ｐａのナトリウム蒸気圧を利用する直管型低圧ナトリウムランプが好ましく、直管型低圧ナトリウムランプは波長が５８９ｎｍの共鳴線をもち、実質的に単波長型であり、一般的には磁気漏洩変圧器による交流点灯が行われており、そのため単波長であることの特徴が生かされることなく、チラツキが生じるものであるが、本発明の応用によって、単波長の特徴が生かされることになり、画期的で実用性の高い発明である。
【発明を実施するための最良の形態】
【００１２】  本発明は目視検査及び画像処理用直管型ランプの光源装置に関するものであり、更に詳細には、平面状の表面をもった例えば液晶パネル等の表面を検査するためのもので、被検査表面に光を照射する直管型ランプの光源装置に関するものであり、請求項１に記載の目視検査及び画像処理用直管型ランプの光源装置は、平状表面の目視検査あるいは画像処理用のランプの光源装置において、少なくとも２本の直管型ランプ１．１を間隔Ｌを有して直線状に並設し、前記間隔Ｌに直管型ランプ１．１に対して水平方向に傾斜させた同種類の均一性向上用直管型ランプ２を配置したことを特徴とするものである。【００１３】  更に、請求項２に記載の目視検査及び画像処理用直管型ランプの光源装置は、請求項１に記載の目視検査及び画像処理用直管型ランプの光源装置において、前記少なくとも２本の直管型ランプ１．１の間隔Ｌ辺に光反射板３を並設したことを特徴とするものである。【００１４】  又、請求項３に記載の目視検査及び画像処理用直管型ランプの光源装置は、少なくとも２本の直管型ランプ１．１を間隔Ｍを有して水平方向に平行状態で且つ傾斜させて並設し、前記直管型ランプ１．１に対して平行状態で光反射板３を並設したことを特徴とするものである。【００１５】  更には、請求項４に記載の目視検査及び画像処理用直管型ランプの光源装置は、請求項１乃至請求項３に記載の目視検査及び画像処理用直管型ランプの光源装置において、前記夫々の直管型ランプ１．１を直流電源によって点灯することを特徴とするものである。【００１６】  加えて、請求項５に記載の目視検査及び画像処理用直管型ランプの光源装置は、請求項４に記載の目視検査及び画像処理用直管型ランプの光源装置において、前記直流電源を調整する調光器を備えたことを特徴とするものである。【００１７】  更には、請求項６に記載の目視検査及び画像処理用直管型ランプの光源装置は、請求項１乃至請求項５に記載の目視検査及び画像処理用直管型ランプの光源装置において、前記夫々の直管型ランプ１．１．２を低圧ナトリウムランプとしたことを特徴とするものである。
【実施例】
【００１８】  以下、本発明の目視検査及び画像処理用直管型ランプの実施例の図面を用いて詳細に説明すると、図１は本発明の目視検査及び画像処理用直管型ランプの光源装置の実施例のランプ配置図であり、図２は本発明の目視検査及び画像処理用直管型ランプの光源装置の次実施例のランプ配置図であり、図３は本発明の目視検査及び画像処理用直管型ランプの光源装置の他の実施例のランプ配置図であり、図４は本発明の目視検査及び画像処理用直管型ランプの光源装置の実施例の交流／直流変換回路と調光器との概要図である。【００１９】  即ち、本発明の目視検査及び画像処理用直管型ランプの光源装置は、平状表面を有する液晶パネル等の目視検査或いは大型の画像処理用のランプの光源装置として用いるものである。【００２０】  そして、図１に図示する如く、少なくとも２本の直管型ランプ１．１は一定間隔Ｌを有して照射面積を大きくするために直線状に並設しているもので、実施例では２本の直管型ランプ１．１を長手方向に直線状に並設しているものであるが、横方向に同様に配設して面状に照射するもので、更に大きい面積にするために長手方向に連続させても構わないものである。【００２１】  次に、均一性向上用直管型ランプ２は２本の直管型ランプ１．１と同種類の直管型のランプであり、２本の直管型ランプ１．１の間の間隔Ｌに２本の直管型ランプ１．１に対して水平方向に傾斜させて配置しているものである。【００２２】  つまり、図１は２本の直管型ランプ１．１を一定の間隔Ｌを置いて、照射面積を大きくしており、その間隔Ｌに均一性向上用直管型ランプ２を二本の直管型ランプ１．１の通る中心線Ａ−Ａに対して、均一性向上用直管型ランプ２の中心線Ｂ−Ｂが、水平方向に一定の角度αだけ傾けて、均一性向上用直管型ランプ２の長手方向の中心が、二本の直管型ランプ１．１の間隔Ｌの中心に位置するように配置するものである。【００２３】  そして、必要とする照射面の長さに合わせて、２本の直管型ランプ１．１の間隔し、及び、２本の直管型ランプ１．１と均一性向上用直管型ランプ２との角度αは調節するものである。【００２４】  次いで、光反射板３は更に均一性を向上させるために配置するもので、図２に図示する次実施例の如く、２本の直管型ランプ１．１の間隔Ｌ辺に並設しているもので、つまり、実施例における照度の均一性を向上させるために、２本の直管型ランプ１．１の端辺と間隔Ｌに配置した均一性向上用直管型ランプ２とを挟むようにして両側に配置しており、反射板３の形状、寸法、位置は、計算上或いは実験上、均一性向上用直管型ランプ２の効果を更に向上させることができるように適正化されるものである。【００２５】  加えて、他の実施例では、図３に図示する如く、照射する巾方向の面積を拡げたい場合には、少なくとも２本の直管型ランプ１．１・・・１を一定の間隔Ｍをもって水平方向に平行状態で、且つ、一定の角度βをもって並設し、更に、光反射板３．３を少なくとも２本の直管型ランプ１．１・・・１の外側に複数並設したものである。【００２６】  更には、本発明の目視検査及び画像処理用直管型ランプの光源装置の夫々の直管型ランプ１．１．２を直流電源によって点灯させるもので、直流電源による夫々の直管型ランプ１．１．２の点灯は、図４に図示する如く、交流電源４からの電力を整流回路５及び平滑コンデンサ６等を含む初段的回路と定電流回路７を結合され、この回路によって直管型ランプ１．１．２は直流電源によって点灯されるもので、更に、一般的には極性切換回路８と点灯回路９に接続されるものである。【００２７】  更に、図４に図示する交流／直流変換回路の定電流回路７に光量を調整できる調光器１０を付設したもので、直管型ランプ１．１．２の夫々の光量調整により全体的な照射の均一性を実現できるものである。【００２８】  加えて、夫々の直管型ランプ１．１．２を低圧ナトリウムランプとしたものである。【００２９】  尚、前述の直流点灯方法は、本発明の出願者自身が先に開示した特許第３０２９６２３号に詳細に明記されており、特許第３０２９６２３号に関わる発明は、定電圧回路の設定を変えることによって、照度を変えることができ、最適な照度によって表面検査や、画像処理を行うことができるものである。
【産業上の利用可能性】
【００３０】  本発明の目視検査及び画像処理用直管型ランプの光源装置は、平面状の表面をもった例えば液晶パネル等の表面を検査するために、被検査表面に光を照射したり、画像処理のための直管型ランプの光源装置に用いるもので、光源に含まれるチラツキが無く、広い範囲で均一の照度の直管型ランプの光源装置を提供するものである。
【図面の簡単な説明】
【００３１】
【図１】  図１は本発明の目視検査及び画像処理用直管型ランプの光源装置の実施例のランプ配置図である。
【図２】  図２は本発明の目視検査及び画像処理用直管型ランプの光源装置の次実施例のランプ配置図である。
【図３】  図３は本発明の目視検査及び画像処理用直管型ランプの光源装置の他の実施例のランプ配置図である。
【図４】  図４は本発明の目視検査及び画像処理用直管型ランプの光源装置の実施例の交流／直流変換回路と調光器との概要図である。
【符号の説明】
【００３２】  Ｌ．Ｍ  間隔
α．β  角度
１      直管型ランプ
２      均一性向上用直管型ランプ
３      光反射板
４      交流電源
５      整流回路
６      平滑コンデンサ
７      定電流回路
８      極性切換回路
９      点灯回路
１０    調光器
【図１】
2007093565.tif 000003
【図２】
2007093565.tif 000004
【図３】
2007093565.tif 000005
【図４】
2007093565.tif 000006